(57)【要約】      （修正有）【課題】例えばオフィスや自動車内の設置に好適で、構造を簡潔にし小形軽量で安価に製作でき、設置スペ−スに発生した炎を確実に検出するとともに、誤作動を防止し警報の信頼性を得られる炎感知器を提供する。【解決手段】載置面２に設置可能な感知器筐体１を備える。前記感知器筐体１に、炎に含まれる光線を導入可能な光線導入部１３と、前記光線を感知可能な炎感知センサとを設ける。前記炎感知センサに前記光線を導き、かつ炎の感知を介して警報を出力可能にした炎感知器であること。前記感知器筐体１の内部を仕切板を介して上下に区画する。前記仕切板の上側に炎検出室１１を区画形成する。前記炎検出室１１の内面と仕切板とを光を反射可能に形成する。前記炎検出室１１内面の中間部全域またはその複数箇所に光線導入部１３を設ける。前記光線導入部１３に入射した光線を炎検出室１１の内面または仕切板の反射を介して炎感知センサに導入可能にする。【選択図】図１
2012058945.tif 000002
【特許請求の範囲】
【請求項１】
載置面に設置可能な感知器筐体を備え、該筐体に、炎に含まれる光線を導入可能な光線導入部と、前記光線を感知可能な炎感知センサとを設け、該センサに前記光線を導き、かつ炎の感知を介して警報を出力可能にした炎感知器において、前記感知器筐体の内部を仕切板を介して上下に区画し、該仕切板の上側に炎検出室を区画形成し、該炎検出室の内面と仕切板とを光を反射可能に形成するとともに、前記炎検出室内面の中間部全域またはその複数箇所に光線導入部を設け、該光線導入部に入射した光線を炎検出室の内面または仕切板の反射を介して炎感知センサに導入可能にしたことを特徴とする炎感知器。
【請求項２】
前記仕切板の中央に炎感知センサを配置した請求項１記載の炎感知器。
【請求項３】
前記仕切板の下側に機器室を区画形成し、該機器室に警報を出力可能なスピ−カと電源を配置した請求項１記載の炎感知器。
【請求項４】
前記感知器筐体を円錐形若しくは円錐台形状または角錐若しくは角錐台形状に形成した請求項１または請求項３記載の炎感知器。
【請求項５】
前記感知器筐体の底部を載置面に離間して設置可能に設けるとともに、前記感知器筐体の底部に複数の小孔を設け、該小孔を介し前記スピ−カの音声を発信可能にした請求項３記載の炎感知器。
【請求項６】
前記炎感知センサは、炎に含まれる紫外線を感知可能である請求項１記載の炎感知器。
【請求項７】
前記炎感知センサは、地表に到達しない太陽光に含まれる紫外線を感知可能である請求項１記載の炎感知器。
【請求項８】
前記光線導入部を、多数の透孔またはスリットを形成した透光板、若しくは前記光線を透過可能な板体、または開口部で形成した請求項１、６または７記載の炎感知器。
【請求項９】
前記炎検出室内の炎感知センサの直上に、前記光線導入部に臨ませて反射板を配置した請求項１記載の炎感知器。
【請求項１０】
前記反射板は略円錐若しくは角錐形またはＶ字形断面である請求項１記載の炎感知器。
【発明の詳細な説明】
【技術分野】
【０００１】
本発明は、例えばオフィスや自動車内の設置に好適で、構造を簡潔にし小形軽量で安価に製作でき、設置スペ−スに発生した炎を確実に検出するとともに、誤作動を防止し警報の信頼性を得られるようにした炎感知器に関する。
【背景技術】
【０００２】
小形軽量で所望の位置に設置し得る炎感知器として、電池と、炎に含まれる紫外線を感知する紫外線センサと、報知器と、音声合成回路や炎識別回路、火災識別回路等の各種の電気回路とを、ケ−スに組み込み、炎識別回路では炎に含まれる紫外線を感知したのか、太陽光等の炎以外の紫外線を感知したのかを識別し、災に含まれる紫外線を感知した際、音声によって警告を発するようにし、また火災識別回路はライタ−やマッチ等の炎か、火災による炎かを識別し、火災による炎と判断した際、ブザ−等の火災警報を出力するようにしたものがある（例えば、特許文献１参照）。
【０００３】
しかし、前記炎感知器は種々の電気回路を組み込んでいるため、構造が複雑で高価になり、また紫外線を導入する開口窓をケ−スの正面だけに設けているため、炎の検出範囲が狭く、炎の検出を広範囲に行なうことができず、またスピ−カが前方に配置されているため、前記警告や警報が一方向に出力され、炎感知器周辺に万遍無く確実に警告することができない、という問題があった。
【０００４】
また、他の炎感知器として、部屋の天井にベ−スを取付け、該ベ−スに放物体形状のカバ−を取付け、該カバ−の下端に感知窓を有する凹面鏡を設け、該凹面鏡内の上部に炎検出素子を配置し、炎に含まれる赤外線を凹面鏡内に導入し、かつこれを反射させて炎検出素子に集光し、炎検出素子で炎を検出して警告を発するようにしたものがある（例えば、特許文献２参照）。
【０００５】
しかし、前記炎感知器は、感知窓がカバ−の下端に設けられているため、炎の検出範囲が感知窓直下周辺に限られ、炎の検出を広範囲に行なうことができず、またカバ−の内側に凹面鏡を形成しているため、カバ−の大形化を助長するとともに、凹面鏡の内部に炎検出素子を表出させているため、炎検出素子に埃等が付着して検出精度が低下する等の問題があった。
【０００６】
更に、別の炎感知器として、上面に一または二の開口窓を形成した筐体を設け、前記開口窓に臨ませて内面を反射面とした中空部材を配置し、該中空部材の直下に赤外線センサを配置し、炎に含まれる赤外線を開口窓から中空部材内部に入射し、かつ該赤外線を反射面に反射させて赤外線センサに集光し、該センサで炎を検出するようにしたものがある（例えば、特許文献３参照）。
【０００７】
しかし、前記炎感知器は、筐体の上面に開口窓を形成しているため、炎の検出範囲が筐体より上方位置に限られ、しかも開口窓が一または二つしかないため、炎の検出範囲が更に狭くなって検出精度の信頼性が得難く、更に中空部材の奥部に赤外線センサを配置しているため、反射光の減衰が大きくなって赤外線センサによる感知が低下し、前記検出精度の信頼性低下が助長されるという問題があった。
【０００８】
このような問題を解決するものとして、部屋の天井に複雑な反射曲面を有する逆円錐台筒状の第１の反射鏡を配置し、その下端の開口窓に炎の放射光を検出する炎検出素子を配置し、該検出素子の直下に平板状の第２の反射鏡を配置し、遠方の炎の放射光を第１の反射鏡の内側曲面に反射させ、その反射光を第２の反射鏡に反射させて炎検出素子に導き、近くの炎の放射光を第１の反射鏡の外側曲面に反射させ、その反射光を第２の反射鏡に反射させて炎検出素子に導き、広い範囲に亘って炎を検出するようにした炎感知器がある（例えば、特許文献４参照）。
【０００９】
しかし、前記炎感知器は、二つの反射鏡を要する上に、複雑かつ高価な第１の反射鏡を要し、しかも炎検出素子を開口窓に表出して配置するため、炎検出素子に埃等が付着して検出精度が低下する等の問題があった。
【先行技術文献】
【特許文献】
【００１０】
【特許文献１】特許第３０５５８２２号公報
【特許文献２】特開平９−９１５６６号公報
【特許文献３】特許第３４２５４９７号号公報
【特許文献４】特開平９−２３７３９４号公報
【発明の概要】
【発明が解決しようとする課題】
【００１１】
本発明はこのような問題を解決し、例えばオフィスや自動車内の設置に好適で、構造を簡潔にし小形軽量で安価に製作でき、設置スペ−スに発生した炎を確実に検出するとともに、誤作動を防止し警報の信頼性を得られるようにした炎感知器を提供することを目的とする。
【課題を解決するための手段】
【００１２】
請求項１の発明は、載置面に設置可能な感知器筐体を備え、該筐体に、炎に含まれる光線を導入可能な光線導入部と、前記光線を感知可能な炎感知センサとを設け、該センサに前記光線を導き、かつ炎の感知を介して警報を出力可能にした炎感知器において、前記感知器筐体の内部を仕切板を介して上下に区画し、該仕切板の上側に炎検出室を区画形成し、該炎検出室の内面と仕切板とを光を反射可能に形成するとともに、前記炎検出室内面の中間部全域またはその複数箇所に光線導入部を設け、該光線導入部に入射した光線を炎検出室の内面または仕切板の反射を介して炎感知センサに導入可能にし、感知器筐体内の上部に炎検出室を区画形成し、炎検出室内への埃や異物の侵入を防止し、炎感知センサによる炎の感知の信頼性を図るとともに、前記炎検出室の中間部全域またはその複数箇所に光線導入部を設けて、炎検出室から炎の発生を広範囲に監視し、炎の検出精度を向上し、また炎検出室に入射した光線を炎検出室の内面または仕切板の反射を介して炎感知センサに導入し、このための専用の反射板を要することなく部品点数を低減し構成を簡潔にして、炎を確実に検出し得るようにしている。
【００１３】
請求項２の発明は、前記仕切板の中央に炎感知センサを配置し、炎検出室内に入射した光線を炎感知センサに確実に導入し、炎を確実に感知し得るようにしている。
請求項３の発明は、前記仕切板の下側に機器室を区画形成し、該機器室に警報を出力可能なスピ−カと電源を配置し、感知器筐体の重心を低位置に位置付け、感知器筐体を安定して設置し得るようにしている。
請求項４の発明は、前記感知器筐体を円錐形若しくは円錐台形状または角錐若しくは角錐台形状に形成し、感知器筐体の設置の安定性を増進し得るとともに、感知器筐体の美観を向上するようにしている。
ようにしている。
【００１４】
請求項５の発明は、前記感知器筐体の底部を載置面に離間して設置可能に設けるとともに、前記感知器筐体の底部に複数の小孔を設け、該小孔を介し前記スピ−カの音声を発信可能にし、感知器筐体の底部からスピ−カによる警告メッセ−ジを発信し得るようにしている。
請求項６の発明は、前記炎感知センサは、炎に含まれる紫外線を感知可能であり、炎に殆ど含まれる紫外線を感知し、炎の感知を正確に行うようにしている。
請求項７の発明は、前記炎感知センサは、地表に到達しない太陽光に含まれる紫外線を感知可能であり、特定波長の紫外線を感知させて、炎に含まれる紫外線以外の太陽光の感知による誤作動ないし誤報を防止し得るようにしている。
【００１５】
請求項８の発明は、前記光線導入部を、多数の透孔またはスリットを形成した透光板、若しくは前記光線を透過可能な板体、または開口部で形成し、前記透光板、若しくは板体の場合は、炎検出室内への埃や異物の侵入を防止し、炎感知センサによる炎の感知の信頼性を向上するとともに、開口部の場合は構成が容易になり、製作の容易化を図れるようにしている。
請求項９の発明は、前記炎検出室内の炎感知センサの直上に、前記光線導入部に臨ませて反射板を配置し、光線導入部から炎検出室に入射する光線を炎感知センサに確実に導入し得るようにしている。
請求項１０の発明は、前記反射板は略円錐若しくは角錐形またはＶ字形断面であり、炎検出室に入射する光線を炎感知センサに確実に導入し得るようにしている。
【発明の効果】
【００１６】
請求項１の発明は、感知器筐体の内部を仕切板を介して上下に区画し、該仕切板の上側に炎検出室を区画形成し、該炎検出室の内面と仕切板とを光を反射可能に形成するとともに、前記炎検出室内面の中間部全域またはその複数箇所に光線導入部を設け、該光線導入部に入射した光線を炎検出室の内面または仕切板の反射を介して炎感知センサに導入可能にしたから、感知器筐体内の上部に炎検出室を区画形成し、炎検出室内への埃や異物の侵入を防止し、炎感知センサによる炎の感知の信頼性を図れるとともに、前記炎検出室の中間部全域またはその複数箇所に光線導入部を設けて、炎検出室から炎の発生を広範囲に監視し、炎の検出精度を向上し、また炎検出室に入射した光線を炎検出室の内面または仕切板の反射を介して炎感知センサに導入し、このための専用の反射板を要することなく部品点数を低減し構成を簡潔にして、炎を確実に検出することができる。
【００１７】
請求項２の発明は、前記仕切板の中央に炎感知センサを配置したから、炎検出室内に入射した光線を炎感知センサに確実に導入し、炎を確実に感知することができる。
請求項３の発明は、前記仕切板の下側に機器室を区画形成し、該機器室に警報を出力可能なスピ−カと電源を配置したから、感知器筐体の重心を低位置に位置付け、感知器筐体を安定して設置することができる。
請求項４の発明は、前記感知器筐体を円錐形若しくは円錐台形状または角錐若しくは角錐台形状に形成したから、感知器筐体の設置の安定性を増進するとともに、感知器筐体の美観を向上することができる。
【００１８】
請求項５の発明は、前記感知器筐体の底部を載置面に離間して設置可能に設けるとともに、前記感知器筐体の底部に複数の小孔を設け、該小孔を介し前記スピ−カの音声を発信可能にしたから、感知器筐体の底部からスピ−カによる警告メッセ−ジを発信することができる。
請求項６の発明は、前記炎感知センサは、炎に含まれる紫外線を感知可能であるから、炎に殆ど含まれる紫外線を感知し、炎の感知を正確に行うことができる。
請求項７の発明は、前記炎感知センサは、地表に到達しない太陽光に含まれる紫外線を感知可能であるから、特定波長の紫外線を感知させ、炎に含まれる紫外線以外の太陽光の感知による誤作動ないし誤報を防止することができる。
【００１９】
請求項８の発明は、前記光線導入部を、多数の透孔またはスリットを形成した透光板、若しくは前記光線を透過可能な板体、または開口部で形成したから、前記透光板、若しくは板体の場合は、炎検出室内への埃や異物の侵入を防止し、炎感知センサによる炎の感知の信頼性を向上するとともに、開口部の場合は構成が容易になり、製作の容易化を図ることができる。
請求項９の発明は、前記炎検出室内の炎感知センサの直上に、前記光線導入部に臨ませて反射板を配置したから、光線導入部から炎検出室に入射する光線を炎感知センサに確実に導入することができる。
請求項１０の発明は、前記反射板は略円錐若しくは角錐形またはＶ字形断面であるから、炎検出室に入射する光線を炎感知センサに確実に導入することができる。
【図面の簡単な説明】
【００２０】
【図１】本発明の第１の実施形態の使用状態を示す斜視図である。
【図２】図１の平面図である。
【図３】図２のＡ−Ａ線に沿う断面図である。
【図４】図２のＢ−Ｂ線に沿う断面図で、炎の検出状況を示している。
【００２１】
【図５】本発明の第２の実施形態の使用状態を示す斜視図である。
【図６】図５の平面図である。
【図７】図６のＣ−Ｃ線に沿う断面図である。
【図８】図６のＤ−Ｄ線に沿う断面図である。
【００２２】
【図９】本発明の第３の実施形態に適用した感知器筐体の平面図である。
【図１０】図９のＥ−Ｅ線に沿う断面図である。
【図１１】図１０の要部を拡大して示す断面図である。
【００２３】
【図１２】本発明の第４の実施形態に適用した感知器筐体の平面図である。
【図１３】図１２のＦ−Ｆ線に沿う断面図である。
【図１４】図１２のＧ−Ｇ線に沿う断面図である。
【００２４】
【図１５】本発明の第５の実施形態に適用した感知器筐体の平面図である。
【図１６】図１５のＨ−Ｈ線に沿う断面図である。
【図１７】図１５のＩ−Ｉ線に沿う断面図である。
【００２５】
【図１８】前記第５の実施形態に適用した感知器筐体の機器室部の平面図である。
【図１９】図１７の要部を拡大して示す断面図である。
【図２０】本発明の第６の実施形態に適用した感知器筐体の正面図である。
【図２１】図２０のＪ−Ｊ線に沿う断面図である。
【発明を実施するための形態】
【００２６】
以下、本発明を図示の実施形態について説明すると、図１乃至図４において１はオフィス、会議室、劇場、車室等の適所の平坦な載置面２に載置した合成樹脂製または金属製の感知器筐体で、底辺の長さ約７０ｍｍ、高さ約８０ｍｍの正四角錐形状に樹脂成形またはダイカスト成形されている。
前記感知器筐体１の底部は底板３で閉塞され、該底板３の内側上方に略中空の機器室４を区画形成している。
【００２７】
前記底板３は載置面２から離間して配置され、その板面にスピ−カ孔である多数の小孔５が形成され、後述する警告メッセ−ジを外部へ発信可能にしている。図中、６は感知器筐体１の底部四隅に設けた脚で、載置面２に立設可能にしている。
【００２８】
前記機器室４に、音声回路に記録されたデ−タから音声信号を発生させ、その音声信号を増幅して警告メッセ−ジを出力するスピ−カ７と、前記音声回路と後述する炎感知センサの駆動回路、および各種機器と電気回路に給電するＤＣまたはＡＣ電源、実施形態ではＤＣ電源である単三電池二本８と、前記音声回路と炎感知センサの駆動回路を備えた基板９とを、上下に離間して配置している。
【００２９】
このうち、前記スピ−カ７は大きな内空面積を得られる機器室４の下部位置に配置され、その大形大能力化を可能にし、該スピ−カ７の配置によって感知器筐体１の安定化を図るとともに、その拡声部を下向きに配置して、警告メッセ−ジを警報として感知器筐体１の下部から外側へ発信可能にしている。
【００３０】
前記音声回路には、マイクロフォン（図示略）を介して、所望の警告メッセ−ジを所望の言語で音声入力可能にされ、その蓄積デ−タの中から所望の警告メッセ−ジを選択的に出力可能にしている。前記警告メッセ−ジは、例えば「ここは禁煙です。」、「煙草はご遠慮下さい。」、「ここは火気厳禁です。」等が各種の言語で記録されている。
【００３１】
前記スピ−カ７の上方に二本の電池８が水平に配置され、該電池８の上方に基板９が配置されている。前記基板９は機器室４の上部を略閉塞可能な正方形に形成され、該基板９の上方に機器室４の上部を区画する仕切板１０が配置されている。
前記仕切板１０は感知器筐体１の上部位置に配置され、その上方の前記筐体１内部に炎検出室１１を区画形成している。
【００３２】
前記炎検出室１１は、感知器筐体１の上部と仕切板１０とで正四角錐に区画形成され、その内面を平滑に形成しており、このうち仕切板１０の中央に炎を検出可能な公知の炎感知センサ１２が設けられている。
この場合、上記内面を平滑面の代わりに、光を乱反射可能な凹凸面にしたり、多数の凹部または凸部を散点模様に配置したり、樹脂面の場合はシボ加工する等してもよい。
前記炎感知センサ１２は、炎検出室１１に入射する炎の特定の光線を感知して作動し、その検出信号を前記音声回路に出力可能にしている。
【００３３】
実施形態の炎感知センサ１２は紫外線センサを使用し、炎に殆ど含まれる紫外線を感知可能にしている。
その際、例えば地表に到達しない太陽光に含まれる特定波長（２００〜２８０ｎｍ）の紫外線（ＵＶ−Ｃ）を感知可能な紫外線センサを、炎感知センサ１２として使用すれば、太陽光に含まれる他の紫外線の感知による誤作動を防止し、炎感知の正確性と信頼性を得られる。
【００３４】
前記炎検出室１１の中高位置周面に光線導入部１３が設けられ、該導入部１３として、実施形態では前記位置周面に微小な透孔またはスリットを多数形成した透光板１４を配置している。
この場合、前記光線導入部１３として、前記透光板１４の代わりに、前記紫外線を透過可能な透明なガラス板若しくは合成樹脂板を使用しても良く、そのようにすれば光線導入部１３ないし炎検出室１１の密閉性が保たれ、炎感知センサ１２に対する埃や異物の付着を免れ、前記センサ１２による感知精度の信頼性が向上する。
【００３５】
この他、図中１５ａ，１５ｂは感知器筐体１周辺または遠方に位置するライタ−で、その炎１６ａ，１６ｂが光線導入部１３位置より上方または下方に位置している。
【００３６】
このように構成した炎感知器を製作する場合は、感知器筐体１を合成樹脂または亜鉛含金ダイカスト等の金属で正四角錐形状に成形し、その上部周面に光線導入部１３を設ける
実施形態の光線導入部１３は、感知器筐体１の周面を適宜な支持枠（図示略）を残して開口し、該支持枠に微小な透孔またはスリットを多数形成した透光板１４を取付けて形成している。
【００３７】
次に、前記光線導入部１３の直下に、炎感知センサ１２を取付けた仕切板１０を配置し、該仕切板１０を介して感知器筐体１の上部に略密閉状態の炎検出室１１を区画し、この下方に広い機器室４を区画形成する。
【００３８】
そして、機器室４の上部に音声回路と炎感知センサ１２の駆動回路を備えた基板９を取付け、該基板９と炎感知センサ１２を配線し、前記基板９の直下にＤＣ電源である二本の電池８を配置し、該電池８の直下にスピ−カ７を下向きに取付け、これらを配線後、感知器筐体１の底部に底板３を取付け、機器室４の底部を閉塞する。
【００３９】
このように前記炎感知器は、炎に含まれる光線を炎感知センサ１２側に反射させる専用の反射板を要しないから、その分部品点数が低減して構成が簡単になり、これを容易かつ安価に製作し得る。
【００４０】
こうして製作した炎感知器は図１のようで、底辺の長さ約７０ｍｍ、高さ約８０ｍｍの正四角錐形状に形成され、その上部周面の光線導入部１３は略密閉され、底部は底板３によって略密閉されている。したがって、光線導入部１３や小孔５からの埃や異物の侵入が防止され、前記侵入に伴う各種機器や電気回路の故障、炎感知センサ１２の作動不良や感度の低下を防止し得る。
【００４１】
次に、前記炎感知器を使用する場合は、オフィス、会議室、劇場、車室等の適所の載置面２に脚６を介して立設する。この状況は図１のようである。
この場合、前記炎感知器は小形軽量であるから、所望の位置に容易に設置し得、設置後は設置環境に違和感なく溶け込み、周辺の体裁を損なうことがない。
【００４２】
このような使用状況の下で、例えば炎感知器の近辺で、かつ光線導入部１３の上方位置でライタ−１５ａが使用され、炎１６ａが生成されると、該炎１６ａに含まれる特定の光線、実施形態では紫外線が、光線導入部１３の微小な透孔またはスリットを介して炎検出室１１に入射する。
前記入射光線は入射面と対向する炎検出室１１内の内面に反射し、その反射光が仕切板１０の上面に反射して入射面側の内面に反射し、この反射光が炎感知センサ１２に入射して紫外線を感知する。この状況は図４のようである。
【００４３】
このため、炎感知センサ１２が作動し、紫外線の感知ないし検出信号を音声駆動回路に入力し、音声回路に記録されたデ−タから音声信号を発生させ、その音声信号を増幅回路で増幅し、感知器筐体１の底部のスピ−カ７から警告メッセ−ジを外部に発信する。
前記警告メッセ−ジは予めマイクロフォン（図示略）を介して、所望の警告メッセ−ジを所望の言語で音声回路に音声入力され、その蓄積デ−タの中から所望の警告メッセ−ジを選択的に出力される。前記警告メッセ−ジは、例えば「ここは禁煙です。」、「煙草はご遠慮下さい。」、「ここは火気厳禁です。」等が各種の言語で用意されている。
したがって、前記警告メッセ−ジによって、ライタ−１５ａの使用者は炎感知器を設置した場所が禁煙ないし火気厳禁であることを知得する。
【００４４】
一方、例えば炎感知器の遠方で、かつ光線導入部１３の下方位置でライタ−１５ｂが使用され、炎１６ｂが生成されると、該炎１６ｂに含まれる特定の光線、実施形態では紫外線が、光線導入部１３の微小な透孔またはスリットを介して炎検出室１１に入射し、これが入射面と対向する炎検出室１１内の内面に反射し、その反射光が炎感知センサ１２に入射され、該センサ１２が紫外線を感知する。この状況は図４のようである。前記紫外線感知後の作動状況は、前述と同様である。
【００４５】
このように前記炎感知器は、炎の発生位置が感知器からの遠近位置、または光線導入部１３からの上下位置に拘わらず、炎に含まれる紫外線を光線導入部１３から炎検出室１１に導入し、該炎検出室１１の内面で反射して炎感知センサ１２に入射させ、紫外線を感知させる。
また、炎感知器の上部周面の全域に光線導入部１３を配置しているから、光線導入部１３を通して全ての方向の炎を炎検出室１１に導入し、炎感知センサ１２で紫外線を感知し得る。
【００４６】
この場合、前記炎感知センサ１２として、例えば地表に到達しない太陽光に含まれる特定波長（２００〜２８０ｎｍ）の紫外線（ＵＶ−Ｃ）を感知可能な紫外線センサを使用すれば、太陽光に含まれる他の紫外線の感知による誤作動を防止し、炎の感知の正確性と信頼性を得られる。
なお、前記炎感知器の構造は、炎に含まれる紫外線の感知の他に、炎に含まれる赤外線の感知にも適用することができ、その場合は炎感知センサ１２として、紫外線センサの代わりに赤外線センサを用いることで対応し得る。
【００４７】
また、光線導入部１３を前記透光板１４の代わりに、前記紫外線を透過可能な透明なガラス板若しくは合成樹脂板を使用しても良く、そのようにすれば光線導入部１３ないし炎検出室１１の密閉性が保たれ、炎感知センサ１２に対する埃や異物の付着を免れ、前記センサ１２による感知精度の信頼性が向上する。
更に、光線導入部１３を前記透光板１４の代わりに、支持枠（図示略）を残して開口するだけでも良く、そのようにすれば炎の光線を減衰させることなく、炎感知センサ１２に入射させ感知精度を向上し得る。
【００４８】
図５乃至図２０は本発明の他の実施形態を示し、前述の実施形態の構成と対応する部分に同一の符号を用いている。
このうち、図５乃至図８は本発明の第２の実施形態を示し、この実施形態は感知器筐体１を正四角錐形状の代わりに円錐台形状に形成し、その上部の炎検出室１１の周面に光線導入部１３を円錐面状に形成し、種々の方向の炎を炎検出室１１に導入可能にし、炎検出室１１内の反射光を該室１１の中央に集光させ、炎感知センサ１２への入射を促し、炎の感知を確実に行なうようにしている。
この実施形態の炎感知器の使用法および動作は前述の実施形態と同様である。
なお、感知器筐体１を円錐台形状の代わりに、円錐形状または角錐台形状に形成しても良く、そのようにすれば美観の向上や炎感知器の多様性が得られる。
【００４９】
図９乃至図１１は本発明の第３の実施形態を示し、この実施形態は感知器筐体１の上部に炎検出室１１を形成した検出筒１５を突設し、該検出筒１５の周面に光線導入部である複数の開口部１３を設けている。
前記炎検出室１１内の炎感知センサ１２の直上に、円錐形または多角錐形の反射板１６を下向きに配置し、開口部１３に入射した炎１６からの光線を反射板１６の錐面に反射させ、その反射光を直接または仕切板１０の上面に反射させて、炎感知センサ１２に入射し、炎１６を感知するようにしている。この状況は図１１のようである。
【００５０】
すなわち、この実施形態は炎検出室１１を感知器筐体１の上部に設け、炎１６の監視ないし検出範囲を広げるとともに、複数の開口部１３から炎１６に含まれる光線を入射させ、この光線を炎検出室１１に設けた反射板１６に反射させて、周囲の炎を精密に感知させるとともに、前記光線の減衰を可及的に抑えて炎感知センサ１２に確実に入射し、炎１６を精度良く感知し得るようにしている。
また、電池８と基板９を立位姿勢で配置し、感知器筐体１の小形軽量化を図るようにしている。
【００５１】
図１２乃至図１４は本発明の第４の実施形態を示し、この実施形態は感知器筐体１を円筒状に形成し、広い炎検出室１１を確保するとともに、その上面にスピ−カ孔である小孔５を複数設け、その直下にスピ−カ７を配置して、警告メッセ−ジを上向きに発信可能にしている。
【００５２】
前記感知器筐体１の周面に、前記実施形態よりも長尺の複数の開口部３を設け、また炎感知センサ１２の直上に、円錐形または多角錐形の反射板１６を下向きに配置し、開口部１３に入射した炎１６からの光線を反射板１６の錐面に反射させ、その反射光を直接または仕切板１０の上面に反射させて、炎感知センサ１２に入射し、炎１６を感知するようにしている。
そして、機器室４の下部に二本の電池８を配置し、その直上に円形の基板９を配置し、炎感知器の設置の安定性を図るようにしている。その他の炎感知器の使用および作動は、第３の実施形態と実質的に同一である。
【００５３】
図１５乃至図１９は本発明の第５の実施形態を示し、この実施形態は感知器筐体１を略四角柱状に形成し、その上部の薄肉板製の方物体の内部に炎検出室１１を設け、その周面に複数の透光板１４または開口部を配置し、該透光板１４または開口部に臨ませて略楕円錐状の反射板１６を配置し、透光板１４に入射した炎１６からの光線を反射板１６の凹状錐面に反射させ、その反射光を直接または仕切板１０の上面に反射させて、炎感知センサ１２に集光し、炎１６を感知するようにしている。
また、感知器筐体１の幅広な前面に複数の小孔５を設け、その内側にスピ−カ７を配置し、警告メッセ−ジを前方に発信可能にしている。その他の炎感知器の使用および作動は、前述の実施形態と実質的に同一である。
【００５４】
図２０および図２１は本発明の第６の実施形態を示し、この実施形態は感知器筐体１を略薄肉板製の四角柱状に形成し、上部の炎検出室１１の前後面に開口部１３を設け、該開口部１３に臨ませてＶ字形断面の反射板１６を配置し、また炎検出室１１の底部に炎感知センサ１２を挟んで略Ｖ字形断面の仕切板１０を対向して配置している。
そして、開口部１３に入射した炎１６からの光線を反射板１６の錐面に反射させ、その反射光を直接または仕切板１０の上面に反射させて、炎感知センサ１２に入射し、炎１６を感知するようにしている。この状況は図２１のようである。
また、感知器筐体１の幅広な前面に複数の小孔５を設け、その内側にスピ−カ７を配置し、警告メッセ−ジを前方に発信可能にしている。その他の炎感知器の使用および作動は、前述の実施形態と実質的に同一である。
【産業上の利用可能性】
【００５５】
このように本発明の炎感知器は、構造を簡潔にし小形軽量で安価に製作でき、設置スペ−スに発生した炎を確実に検出するとともに、誤作動を防止し警報の信頼性を得られるから、例えばオフィスや自動車内の設置に好適である。
【符号の説明】
【００５６】
１                    感知器筐体
２                    載置面
４                    機器室
５                    小孔
７                    スピ−カ
８                    電源（電池）
【００５７】
１０                    仕切板
１１                    炎検出室
１２                    炎感知センサ
１３                    光線導入部
１６，１６ａ，１６ｂ    炎
【図１】
2012058945.tif 000003
【図２】
2012058945.tif 000004
【図３】
2012058945.tif 000005
【図４】
2012058945.tif 000006
【図５】
2012058945.tif 000007
【図６】
2012058945.tif 000008
【図７】
2012058945.tif 000009
【図８】
2012058945.tif 000010
【図９】
2012058945.tif 000011
【図１０】
2012058945.tif 000012
【図１１】
2012058945.tif 000013
【図１２】
2012058945.tif 000014
【図１３】
2012058945.tif 000015
【図１４】
2012058945.tif 000016
【図１５】
2012058945.tif 000017
【図１６】
2012058945.tif 000018
【図１７】
2012058945.tif 000019
【図１８】
2012058945.tif 000020
【図１９】
2012058945.tif 000021
【図２０】
2012058945.tif 000022
【図２１】
2012058945.tif 000023